(57)【要約】      （修正有）【課題】デザイン変更を簡単に行うことが可能な椅子の構造を提供する。【解決手段】座部１０と、座部１０の下側に設けられた脚部１１と、座部１０の後側に設けられた背もたれ部１２と、座部１０の左右側面に肘当て部１３とを設けて椅子を構成する。さらに、背もたれ部１２の外側、及び／又は、肘当て部１３の外側に形成されたブロック取り付け凹部１２ａと、このブロック取り付け凹部１２ａに敷き詰められるように配置され、かつ、ブロック取り付け凹部１２ａへの着脱が可能な複数のブロック２０と、この複数のブロック１０がブロック取り付け凹部１２ａから脱落しないように、ブロック取り付け凹部１２ａに設けられる係合突起と、ブロック２０のそれぞれに設け、係合突起に係合可能な係合溝とを備える。【選択図】図１
0003164634.tif 000002
【実用新案登録請求の範囲】
【請求項１】
座部と、座部の下側に設けられた脚部と、座部の後側に設けられた背もたれ部と、前記座部の左右側面に肘当て部と、を有する椅子であって、
前記背もたれ部の外側、及び／又は、前記肘当て部の外側に形成された装着体取り付け凹部と、
この装着体取り付け凹部を閉鎖するように配置され、かつ、装着体取り付け凹部への着脱が可能な装着体と、
この装着体が前記装着体取り付け凹部から脱落しないように、前記装着体取り付け凹部に設けられる係合部と、前記装着体に設けられ、前記係合部に係合可能な被係合部と、を備えていることを特徴とする椅子。
【請求項２】
前記装着体はブロックであり、前記装着体取り付け凹部は、複数の前記ブロックが敷き詰められるように配置されるブロック取り付け凹部であることを特徴とする請求項１に記載の椅子。
【請求項３】
前記ブロック取り付け凹部は、正面視で矩形もしくは正方形の空間を構成し、前記ブロックも矩形もしくは正方形に形成されることを特徴とする請求項２に記載の椅子。
【請求項４】
前記ブロックは、前記ブロック取り付け凹部の横方向に１つもしくは複数個が並べて配置されることでブロックユニットを構成し、上下のブロックユニットの間に横方向に伸びる仕切り体を配置し、この仕切り体にも前記被係合部と係合される係合部が形成されていることを特徴とする請求項３に記載の椅子。
【請求項５】
前記ブロック取り付け凹部の上部は、開閉可能な蓋部、もしくは、着脱自在な蓋部として構成されることを特徴とする請求項２〜４のいずれか１項に記載の椅子。
【請求項６】
前記ブロックは、第１外装部、中間部、第２外装部が厚み方向に積層して構成され、前記中間部に前記被係合部が設けられると共に、第１外装部と第２外装部のいずれかを選択的に外側に配置可能に、第１外装部、中間部、第２外装部の厚みが設定されていることを特徴とする請求項２〜５のいずれか１項に記載の椅子。
【請求項７】
前記係合部は係合突起であり、前記被係合部は前記係合突起に係合する係合溝であることを特徴とする請求項２〜６のいずれか１項に記載の椅子。
【請求項８】
前記係合部は穴であり、前記被係合部は当該穴に嵌合される軸部材であることを特徴とする請求項２〜６のいずれか１項に記載の椅子。
【請求項９】
請求項２〜８のいずれか１項に記載の椅子の前記ブロック取り付け凹部に配置されるブロック。
【請求項１０】
前記装着体は、１枚のプレート状部材であり、前記装着体取り付け凹部に設けられた係合部として機能する係合溝に着脱自在に挿入されることを特徴とする請求項１に記載の椅子。
【請求項１１】
前記プレート状部材は透明体であり、装着体取り付け凹部に装着した状態で、プレート状部材の内側に物品を収容するための収容空間が形成されることを特徴とする請求項１０に記載の椅子。
【考案の詳細な説明】
【技術分野】
【０００１】
本考案は、座部と、座部の下側に設けられた脚部と、座部の後側に設けられた背もたれ部と、前記座部の左右側面に肘当て部と、を有する椅子に関する。
【背景技術】
【０００２】
椅子は多様な場所で用いられるが（例えば、下記特許文献１）、その外観デザインを変更したい場合がある。例えば、美容室や理髪店で使用されるお客用のいすの背もたれ部や肘当て部のデザインを季節に応じて変更したいということがある。
【先行技術文献】
【特許文献】
【０００３】
【特許文献１】実用新案登録３１６２０４４号
【考案の概要】
【考案が解決しようとする課題】
【０００４】
かかる場合、デザインの異なる椅子を多数用意しておく必要があり、保管スペースも多大なものになり、コスト負担も多大なものになる。
【０００５】
本考案は上記実情に鑑みてなされたものであり、その課題は、デザイン変更を簡単に行うことが可能な椅子を提供することである。
【課題を解決するための手段】
【０００６】
上記課題を解決するため本考案に係る椅子は、
座部と、座部の下側に設けられた脚部と、座部の後側に設けられた背もたれ部と、前記座部の左右側面に肘当て部と、を有する椅子であって、
前記背もたれ部の外側、及び／又は、前記肘当て部の外側に形成された装着体取り付け凹部と、
この装着体取り付け凹部を閉鎖するように配置され、かつ、装着体取り付け凹部への着脱が可能な装着体と、
この装着体が前記装着体取り付け凹部から脱落しないように、前記装着体取り付け凹部に設けられる係合部と、前記装着体に設けられ、前記係合部に係合可能な被係合部と、を備えていることを特徴とするものである。
【０００７】
かかる構成を有する椅子の作用・効果を説明する。この椅子は、背もたれ部の外側、及び／又は、肘当て部の外側に装着体取り付け凹部が形成されている。装着体取り付け凹部に、装着体取り付け凹部を閉鎖するように装着体を着脱可能に配置することができる。従って、装着体の表面にデザインを行い、他のデザインに変更したい場合には、装着体を交換すればよい。装着体自体は、椅子のサイズに比べれば、充分に小さなものであり、多数のデザインを準備するために装着体を多数準備したとしても、保管スペースやコストを抑制することができる。また、装着体取り付け凹部に設けられる係合部と、装着体に設けられる被係合部により、装着体を安定した状態で装着体取り付け凹部に配置させることができる。その結果、デザイン変更を簡単に行うことが可能な椅子を提供することができる。
【０００８】
なお、装着体は１つであってもよいし、複数（あるいは多数）であってもよいものとする。また、形状や大きさについて限定はなく、装着体取り付け凹部に対して着脱自在に構成されていればよい。
【０００９】
本考案において、前記装着体はブロックであり、前記装着体取り付け凹部は、複数の前記ブロックが敷き詰められるように配置されるブロック取り付け凹部であることが好ましい。
【００１０】
この構成によると、ブロックの表面にデザインを行い、他のデザインに変更したい場合には、ブロックを交換すればよい。ブロック自体は、椅子のサイズに比べれば、充分に小さなものであり、多数のデザインを準備するためにブロックを多数準備したとしても、保管スペースやコストを抑制することができる。また、ブロック取り付け凹部に設けられる係合部と、ブロックに設けられる被係合部により、ブロックを安定した状態でブロック取り付け凹部に配置させることができる。その結果、デザイン変更を簡単に行うことが可能な椅子を提供することができる。
【００１１】
本考案に係る前記ブロック取り付け凹部は、正面視で矩形もしくは正方形の空間を構成し、前記ブロックも矩形もしくは正方形に形成されることが好ましい。
【００１２】
かかる構成によれば、ブロックの大きさや形状の種類を抑制することができ、保管をする時の収納効率も高めることができる。
【００１３】
本考案に係る前記ブロックは、前記ブロック取り付け凹部の横方向に１つもしくは複数個が並べて配置されることでブロックユニットを構成し、上下のブロックユニットの間に横方向に伸びる仕切り体を配置し、この仕切り体にも前記被係合部と係合される係合部が形成されていることが好ましい。
【００１４】
前述の被係合部と係合部の構成により、ブロック取り付け凹部に安定してブロックを取り付けることができる。ただし、複数のブロックのうち、配置される場所や個数によっては、安定した状態に取り付けられない場合や、ブロック取り付け凹部に対して係合できない場合もありうる。そこで、上記のような仕切り体を設けることで、この仕切り体にブロックを係合させれば、すべてのブロックを安定して配置することができる。
【００１５】
本考案において、前記ブロック取り付け凹部の上部は、開閉可能な蓋部、もしくは、着脱自在な蓋部として構成されることが好ましい。
【００１６】
ブロック取り付け凹部の上部を開放させることにより、ブロックの着脱を容易に行うことができる。上部は、ヒンジ等で開閉可能な蓋部としてもよいし、着脱自在な蓋部としてもよい。
【００１７】
本考案に係る前記ブロックは、第１外装部、中間部、第２外装部が厚み方向に積層して構成され、前記中間部に前記被係合部が設けられると共に、第１外装部と第２外装部のいずれかを選択的に外側に配置可能に、第１外装部、中間部、第２外装部の厚みが設定されていることが好ましい。
【００１８】
上記構成によるブロックは、いわゆるリバーシブルであり、第１外装部と第２外装部のいずれも外側に配置させることができる。従って、１つのブロックで２種類のデザインを準備しておくことができ、準備しておくブロックの個数を低減することができる。
【００１９】
本考案に係る前記係合部は係合突起であり、前記被係合部は前記係合突起に係合する係合溝であることが好ましい。
【００２０】
ブロック側を係合溝とすることで、隣接するブロックどうしがたがいに干渉することなく敷き詰めることができる。これにより、安定した状態で各ブロックを配置することができる。
【００２１】
本考案に係る前記係合部は穴であり、前記被係合部は当該穴に嵌合される軸部材であることが好ましい。
【００２２】
穴と軸部による係合機構を採用しても、安定した状態でブロックをブロック取り付け凹部に取り付けることができる。
【００２３】
本考案に係る装着体は、１枚のプレート状部材であり、前記装着体取り付け凹部に設けられた係合部として機能する係合溝に着脱自在に挿入されることが好ましい。
【００２４】
この構成によると、１枚のプレート状部材を別のものに交換するだけで、簡単にデザイン変更を行うことができる。また、プレート状部材であれば、容易にリバーシブルにすることができ、より多様なデザインに対応することができる。この場合、プレート状部材の左右両端部が被係合部として機能する。
【００２５】
本考案に係るプレート状部材は透明体であり、装着体取り付け凹部に装着した状態で、プレート状部材の内側に物品を収容するための収容空間が形成されることが好ましい。
【００２６】
プレート状部材は、ガラスやアクリル等の透明体により構成することができる。内側に収容空間を形成することで、適宜の物品を展示させることもできる。これにより、より多様なデザイン変更に対応することができる。なお、透明体は無色透明でもよいし、半透明、あるいは、色つきの透明であってもよい。
【図面の簡単な説明】
【００２７】
【図１】本実施形態に係る椅子の外観図を示す図
【図２】背もたれ部の構成を示す図
【図３】ブロックの構成を示す図
【図４】ブロック及び仕切り体の分解斜視図を示す図
【図５】仕切り体の構成を示す断面図
【図６】ブロックを敷き詰めた状態での横方向の断面図
【図７】ブロックを敷き詰めた状態での縦方向の断面図
【図８】係合突起の別実施形態を示す図
【図９】蓋部の別実施形態を示す図
【図１０】係合部と被係合部の組み合わせの別実施形態を示す図
【図１１】別実施形態に係る椅子の構成を示す外観斜視図
【図１２】別実施形態において、ブロック及び仕切り体の分解斜視図を示す図
【図１３】別実施形態に係る装着体を示す図
【図１４】別実施形態に係る装着体を示す図
【考案を実施するための形態】
【００２８】
本考案に係る椅子の好適な実施形態を図面を用いて説明する。図１は、本実施形態に係る椅子の外観図を示し、（ａ）は正面から見た斜視図、（ｂ）は背面から見た斜視図である。
【００２９】
＜外観構成＞
この椅子は、例えば、美容室や理髪店で使用される椅子である。椅子１は、座部１０と、座部の下側に設けられた脚部１１と、座部１０の後側に設けられた背もたれ部１２と、座部１０の左右側面に設けられた肘当て部１３を備えている。また、脚部１１の手前側には脚載せ部１４が設けられている。
【００３０】
図１（ｂ）に示すように背もたれ部１２の外側には、多数のブロック２０が敷き詰められている。各ブロック２０は、同じ大きさの正方形のブロックである。この例では、横３列、縦３列の合計９個のブロック２０が敷き詰められており、横３つのブロック２０は、直接ブロック２０同士が隣接するように配置され、この３つのブロック２０をブロックユニットＢＵと定義する。すなわち、３つのブロックユニットＢＵが上下に３つならべて配置され、ブロックユニットＢＵの上下の隙間に仕切り体２１が配置される。仕切り体２１は、横長の矩形である。
【００３１】
左右の肘当て部１３の外側にも、多数のブロック２０が敷き詰められている。各ブロック２０は、同じ大きさの正方形のブロックであり、背もたれ部１２のブロック２０と同じ形状、同じ大きさである。この例では、横３列、縦２列の合計６個のブロック２０が敷き詰められており、横３つのブロック２０は、直接ブロック２０同士が隣接するように配置される。すなわち、２つのブロックユニットＢＵが上下に２つならべて配置され、ブロックユニットＢＵの上下の隙間に仕切り体２１が配置される。仕切り体２１は、横長の矩形であり、背もたれ部１２の仕切り体２１と同じ形状、同じ大きさである。
【００３２】
なお、ブロック２０の形状は上記に限定されるものではなく、種々の変形例が可能である。正方形でなくてもよく、長方形であってもよい。矩形の場合、縦横比は任意に設定することができる。また、背もたれ部１２と肘当て部１３でブロック２０の大きさや形状を変えてもよい。
【００３３】
図１に示すブロック２０は背もたれ部１２と肘当て部１３に着脱自在に取り付けることができる。ブロック２０の表面は、デザイン面として機能し、種々の色（単色もしくは多数色）が施されていたり、種々の形状、模様の組み合わせからなる印刷が施される。ブロック２０を取り換えることで、外観デザインを変更することができ、例えば、美容室や理髪店で使用される椅子の場合、季節によって店内の雰囲気を変更したりするのに役立つ。
【００３４】
＜ブロックの構成＞
図２は、ブロック２０の構成を示す図である。（ａ）は斜視図であり、（ｂ）は断面図である。ブロック２０は、３層構造になっており、第１レザー部２０ａ（第１外装部に相当）、中間支持体２０ｂ（中間部に相当）、第２レザー部２０ｃ（第２外装部に相当）により構成される。第１・第２レザー部２０ａ，２０ｃは、表面がレザーで内部にウレタンが充填されている。中間支持体２０ｂは木材で形成され、係合溝２０ｄ（被係合部に相当）が全周に形成される。
【００３５】
第１レザー部２０ａと第２レザー部２０ｃは同じ形状を有しており。いずれの側も外観側に配置できるようなリバーシブル構造を採用している。なお、材質については、上記に限定されるものではなく、樹脂等の材質を用いてもよい。
【００３６】
＜背もたれ部の構成＞
次に、背もたれ部１２の構成を図３に示す。図３は、ブロック２０を全部取り外した状態を示す。背もたれ部１２の外側にはブロック取り付け凹部１２ａ（装着体取り付け凹部に相当）が形成され、ブロック２０（装着体に相当）を敷き詰めるための収容部として機能する。ブロック取り付け凹部１２ａにブロック２０をスムーズに敷き詰めるために、ブロック取り付け凹部１２ａの上部は開閉可能な蓋部１２０となっている。蓋部１２０は、外観側がレザー部１２０ａであり、その内側が内部支持体１２０ｂとして構成される。内部支持体１２０ｂには、細長い溝１２０ｃが形成される。
【００３７】
背もたれ部１２の上部には、上記溝１２０ｃに係合する係合壁１２１が設けられている。従って、係合壁１２１に蓋部１２０をはめ込むだけで蓋部１２０の取り付けは完了する。
【００３８】
背もたれ部１２のブロック取り付け凹部１２ａの左右の内壁面１２ｂには、上下に沿って配置される係合突起１２２（係合部に相当）が取り付けられる。係合突起１２２は例えば木材製であり、ネジ１２３により内壁面１２ｂに固定することができる。
【００３９】
図４は、ブロック取り付け凹部１２ａに敷き詰められるブロック２０及び仕切り体２１の分解斜視図を示す図である。これら９つのブロック２０と２つの仕切り体２１がブロック取り付け凹部１２ａに敷き詰められるように配置される。
【００４０】
図５は、仕切り体２１の断面図である。仕切り体２１は、断面矩形の本体部の上下に、係合部として機能する係合突起２１ａが設けられている。図５（ａ）の係合突起２１ａは、断面Ｔ字形であるが、（ｂ）のようにＬ字形の係合突起２１ｂとしてもよい。係合突起２１ａ，２１ｂは、ネジ等により本体部に結合することができる。
【００４１】
ブロック取り付け凹部１２ａの内壁面１２ｂに取り付けられた係合突起１２２と係合するのは、図４のＡ，Ｄ，Ｇと表示されたブロック２０の左側の係合溝と、Ｃ，Ｆ，Ｉと表示されたブロック２０の右側の係合溝である。
【００４２】
また、図４に示す２つの仕切り体２１のうち、上側の仕切り体２１の上側の係合突起２１ａと係合するのは、Ａ，Ｂ，Ｃと表示されたブロック２０の下側の係合溝２０ｄであり、上側の仕切り体２１の下側の係合突起２１ａと係合するのは、Ｄ，Ｅ，Ｆと表示されたブロック２０の上側の係合溝２０ｄである。また、下側の仕切り体２１の上側の係合突起２１ａと係合するのは、Ｄ，Ｅ，Ｆと表示されたブロック２０の下側の係合溝２０ｄであり、Ｇ，Ｈ，Ｉと表示されたブロック２０の上側の係合溝２０ｄである。このように、上下に仕切り体２１を設けることで、内壁面１２ｂに取り付けられた係合突起１２２に係合されないブロックＢ，Ｅ，Ｈを仕切り体２１で係合させることができ、安定して保持することができる。
【００４３】
図４に示す例において、仕切り体２１の左右の端面部２１ｃには係合溝２１ｄが設けられており、内壁面１２ｂに取り付けられる係合突起１２２が係合する。
【００４４】
図６は、ブロック２０を敷き詰めた状態での横方向の断面図を示し、図７は、ブロック２０を敷き詰めた状態での縦方向の断面図を示す。ブロック２０の着脱を行うときは、蓋部１２０を開けて、各ブロック２０と仕切り体２１を係合突起１２２に沿わせて上方に移動させたり、係合突起１２２から脱出させることで、取り外すことができる。別のブロック２０を取り付けるときは、取り外すときと逆を行えばよい。
【００４５】
＜変形例＞
図４において、仕切り体２１の左右両側に係合溝２１ｄを形成しているが、ブロック取り付け凹部１２ａ内の係合突起１２２は、仕切り体２１が配置される箇所については設けないようにし、仕切り体２１には係合溝２１ｄを設けないようにしてもよい。すなわち、上下に伸びる１本の係合突起１２２ではなく、仕切り体２１が配置される箇所で分断された３つの係合突起１２２により構成してもよい（図８参照）。すなわち、係合突起１２２は複数に分割して取り付けてもよい。
【００４６】
また、９つのブロック２０のうち、Ｂ，Ｅ，Ｈで示すブロック２０については、係合溝２０ｄを設ける代わりに、左右に隣接するブロック２０の係合溝２０ｄに係合する係合突起を設けてもよい。例えば、Ｂで示すブロック２０の左側に係合突起を設け、左側に隣接するＡで示すブロック２０の右側の係合溝２０ｄと係合させる。そして、Ｂで示すブロック２０の右側にも係合突起を設け、右側に隣接するＣで示すブロック２０の左側の係合溝２０ｄと係合させる。これにより、ブロック２０同士の結合をより強固にすることができ、ブロック取り付け凹部１２ａからの脱落をより効果的に防止することができる。このような構成にすると、仕切り体２１を廃止することも可能である。すなわち、本考案において、仕切り体２１は、必ずしも必要なものではない。
【００４７】
ブロック２０の個数は９個の例を示しているが、これに限定されないのは当然である。ブロック２０は正方形でなくてもよく、矩形であってもよい。ブロック２０の個数は、３×３ではなく、４×４、３×４、３×２等、多様な組み合わせが考えられる。
【００４８】
図３に示す蓋部１２０には、ブロック２０と係合させるための係合突起を設けていないが、係合突起を設けてよいのは当然である。例えば、図４に示す一番上のＡ，Ｂ，Ｃで示すブロック２０の上側の係合溝２０ｄと係合する係合突起を蓋部１２０の裏面に設けてもよい。
【００４９】
＜肘当て部＞
今までは、背もたれ部１２のブロック取り付け凹部１２ａに配置されるブロック２０について説明したが、図１に示すように、肘当て部１３の外側にもブロック取り付け凹部１３ａを設けて、同じようにブロック２０を敷き詰めることができる。考え方は、背もたれ部１２の場合と全く同じなので詳細説明は省略する。
【００５０】
＜蓋部の別実施形態＞
図９は、蓋部１２０の別実施形態を示す図である。この図９において、蓋部１２０は、ヒンジ１２０ｄにより開閉自在に構成されている。これにより、蓋部１２０を開いた状態でブロック２０の着脱を容易に行うことができる。
【００５１】
＜係合部の別実施形態＞
図１０は、係合部と被係合部の組み合わせの別実施形態を示す図である。図４に示す９個のブロック２０のうち、一番下のブロックユニットＢＵのＧ，Ｈ，Ｉで示すブロック２０のみを例示する。このうち、Ｇ，Ｉで示すブロック２０の左右両側には、被係合部として機能する係合ピン２０ｅが２つ設けられている。また、ブロック取り付け凹部１２の内壁面１２ｂには、係合孔１２ｃが設けられており、前記係合ピン２０ｅが係合する。真ん中のＨで示すブロック２０は、係合孔２０ｆが形成されており、左右に配置されるブロック２０の係合ピン２０ｅが係合する。なお、各ブロック２０の上下には係合溝２０ｄが設けられる。これにより、仕切り体２１の係合突起２１ｄが係合し、安定した状態でブロック２０を保持することができる。
【００５２】
なお、係合ピンと係合孔との関係は逆の配置にしてもよい。例えば、ブロック取り付け凹部１２の内壁面１２ｂの方に係合ピンを配置する構成であってもよい。また、蓋部１２０の底面には４つの挿入ピン１２０ｅが植設され、背もたれ部１２の上部に形成された挿入孔１２ｅに嵌合される。
【００５３】
＜椅子の別実施形態＞
図１１は、別実施形態に係る椅子の構成を示す外観斜視図である。この実施形態では、ブロック２０は横長の矩形である。背もたれ部１２には、上下に３つのブロック２０が配置され、上下のブロック２０の間には仕切り体２１が配置される。肘当て部１３も同様に、２つのブロック２０と１つの仕切り体２１が敷き詰められている。図１２は、分解斜視図を示す。ブロック２０の全周に係合溝が形成される点は、図４に示されるブロック２０と同じである。仕切り体２１も図４に示すものと同じものを使用することができる。
【００５４】
＜別実施形態＞
本実施形態では、ブロック取り付け凹部１２ａの内壁面１２ｂに取り付けられる係合突起１２２と、ブロック２０の係合溝１２ｄにより係合機構を構成しているが、これに限定されるものではない。ブロック取り付け凹部１２ａ側に係合溝を設けて、ブロック２０側に係合突起を設けても良い。この場合、ブロック２０には係合溝を設けたものと、係合突起を設けたものを適宜組み合わせることで、隣接するブロック２０同士の係合を行うことができる。仕切り体２１についても同様である。係合部と被係合部のいずれを凸にするか凹にするか、適宜決めることができる。
【００５５】
本実施形態では、ブロック取り付け凹部が背もたれ部１２と肘当て部１３の双方に設けられているが、いずれか一方にのみ設けてもよい。
【００５６】
本実施形態では、ブロックユニットＢＵは横長であり、仕切り体２１も横に配置されるが、これらを縦配置にしてもよい。
【００５７】
＜別実施形態２＞
次に、さらに別実施形態に係る構成について説明する。図１３は、装着体の別実施形態を示し、１枚のガラス板１５（プレート状部材に相当）により構成される。背もたれ部１２のブロック取り付け凹部１２ａ（装着体取り付け凹部に相当）の内壁面１２ｂには、係合部として機能する係合溝１２ｆが形成される。ガラス板１５の左右両端部１５ａが被係合部として機能する。ガラス板１５は、無色透明、有色透明、半透明等、適宜の素材にすることができる。なお、ガラス板１５ではなく、透明樹脂板（アクリル等）で形成してもよい。
【００５８】
また、ガラス板１５を装着した時、ガラス板１５の内側に物品を収容する空間が形成される。例えば、図１３に示すように、植木鉢Ｆを載置することができ、展示させることができる。これにより、デザインの幅を広げることができる。
【００５９】
図１４は、ガラス板１６の表面に煉瓦１７を貼り付けてデザイン性を持たせた例である。貼りつけるものは煉瓦１７でなくてもよく、木材やその他のファッション性を有するものを貼り付けてもよい。
【００６０】
＜効果＞
本考案によれば、ブロック２０を着脱自在に構成したので、デザイン変更をしたい場合は、他のブロック２０に取り替えることで容易に変更することができる。ブロック２０自体はサイズも大きくなく、保管スペースも抑制することができる。また、本考案に係るブロック２０は、リバーシブルであるから、表裏を入れ替えることでもデザイン変更をすることができる。ブロック２０や仕切り体２１の表面に形成するデザインは、特定のデザインに限定されるものではない。単色であってもデザインに含まれる。
【００６１】
仕切り体２１の表面もデザインに寄与させることができる。本考案に係る仕切り体２１も、ブロック２０と同様にリバーシブルに構成することができる。
【符号の説明】
【００６２】
１        椅子
１０      座部
１１      脚部
１２      背もたれ部
１２ａ    ブロック取り付け凹部
１３      肘当て部
１３ａ    ブロック取り付け凹部
１５      ガラス板
１６      ガラス板
２０      ブロック
２０ａ    第１レザー部
２０ｂ    中間支持体
２０ｃ    第２レザー部
２０ｄ    係合溝
２１      仕切り体
２１ａ    係合突起
２１ｂ    係合突起
２１ｄ    係合溝
１２０    蓋部
１２２    係合突起
ＢＵ      ブロックユニット
【図１】
0003164634.tif 000003
【図２】
0003164634.tif 000004
【図３】
0003164634.tif 000005
【図４】
0003164634.tif 000006
【図５】
0003164634.tif 000007
【図６】
0003164634.tif 000008
【図７】
0003164634.tif 000009
【図８】
0003164634.tif 000010
【図９】
0003164634.tif 000011
【図１０】
0003164634.tif 000012
【図１１】
0003164634.tif 000013
【図１２】
0003164634.tif 000014
【図１３】
0003164634.tif 000015
【図１４】
0003164634.tif 000016